(57)【要約】【課題】十分な二次止水機能を発揮し、生産性にも優れ、かつ、目地巾のバラツキにも正確に対応できるシーリングバックアップ材を提供する。【解決手段】シーリング材３を受ける幅広の頭部１１の中心部から幅狭な胴部１２を垂下設し、胴部１２の略中間高さ部分から左右に腕部１３を横設し、各腕部１３の略中間部分から、胴部１２の下端部にわたって連結片１４を架設して、胴部１２と腕部１３と連結片１４とで中空シール部１５を形成する。そして、中空シール部１５を、二つの下地材４の間に弾性変形させて侵入させ、腕部１３の先端部を下地材４の側面に弾接させると共に、中空シール部１５を下地材４の角部に弾接させる。また、連結片１４の左右に足部１６を横設し、足部１６を下地材の側面に弾接させてある。【選択図】        図５
2006233631.tif 000002
【特許請求の範囲】
【請求項１】
建物（Ｂ）の外壁（５）における入隅部（１）に形成される目地（２）に，シーリング材（３）を内側から支持するために挿入されるシーリングバックアップ材であって、前記シーリング材を受ける幅広の頭部（１１）の中心部から幅狭な胴部（１２）を垂下設し、前記胴部の略中間高さ部分から左右に腕部（１３）を横設し、前記各腕部から，前記胴部の下端部にわたって連結片（１４）を架設して，前記胴部と腕部と連結片とで中空シール部（１５）を形成し、前記中空シール部を，二つの下地材（４）の間に弾性変形させて進入させ，前記腕部の先端部を前記下地材の内面に弾接させると共に，前記中空シール部を前記下地材の角部に弾接させてなるシーリングバックアップ材。
【請求項２】
幅狭な胴部（１２）の下端部（Q）付近から連結片下端を架設し、連結片（１４）を左右斜め上方に傾斜させ、略矢印状に形成してなる請求項１に記載のシーリングバックアップ材。
【請求項３】
連結片（１４）の左右に足部（１６）を横設し、足部（１６）を下地材の側面に弾接させてなる請求項１または２に記載のシーリングバックアップ材。
【請求項４】
建物（Ｂ）の外壁（５）における入隅部（１）に形成される目地（２）に，シーリング材（３）を内側から支持するために挿入されるシーリングバックアップ材であって、前記シーリング材を受ける幅広の頭部（１１）の略左右端部のそれぞれから幅狭な胴部（１２）を垂下設し、前記二つの胴部の略中間高さ部分に左右に腕部（１３）を横設し、前記二つの胴部の下端部同士を主連結部（１８）で架設すると共に，前記二つの胴部と主連結部とで中空シール部（１５）を形成し、前記中空シール部を，二つの下地材（４）の間に弾性変形させて進入させ，前記腕部の先端部を前記下地材の内面に弾接させ，前記中空シール部を前記下地材の角部に弾接させてなるシーリングバックアップ材。
【請求項５】
中空シール部の中央下端部を最下点部（Ｐ）として左右側を斜め上方に傾斜させ、略矢印状に形成してなる請求項１に記載のシーリングバックアップ材。
【請求項６】
左右の腕部（１３，１３）間に副連結部（１７）を架設してなる請求項４または５に記載のシーリングバックアップ材。
【請求項７】
主連結部（１８）の左右に連続させて足部（１６，１６）を横設し、該足部（１６，１６）を下地材の側面に弾接させてなる請求項４〜６のいずれかに記載のシーリングバックアップ材。
【発明の詳細な説明】
【技術分野】
【０００１】
本発明は、建物の外壁における入隅部の目地に、シーリング材を内側から支持するために設けられるバックアップ材に関するものである。
【背景技術】
【０００２】
図１乃至図３を参照して説明する。従来、住宅などの建物Ｂの外壁５における入隅部１の目地２には、シーリング材３を内側から支持するために、例えば、発泡ポリエチレン等の断面矩形状のシーリングバックアップ材２０が挿入されている。
【発明の開示】
【発明が解決しようとする課題】
【０００３】
しかし、こうした従来のシーリングバックアップ材２０は十分なシール機能がないため、経年劣化によってシーリング材３のシール機能が低下した際、その部分が漏水して建物Ｂ内に雨水等が侵入してしまうという問題が発生する。
【０００４】
また、従来のシーリングバックアップ材２０は十分な柔軟性と弾力性を持たないため、あらゆる巾の目地２に対応するために、複数種のものを準備しておく必要があり、生産性の点においても問題がある。また、同一の目地において、その目地巾にバラツキが生じた場合に、それに対応することができないといった問題もある。
【０００５】
本発明はこうした問題を解決するために創案されたもので、建物外壁の入隅部の目地に、シーリング材を内側から支持するために挿入されるシーリングバックアップ材において、十分な二次止水機能を発揮し、生産性にも優れ、かつ、目地巾のバラツキにも正確に対応できるものを提供することを課題とする。
【課題を解決するための手段】
【０００６】
図１，図４及び図５を参照して説明する。請求項１に記載の発明は、建物Ｂの外壁５における入隅部１に形成される目地２に、シーリング材３を内側から支持するために挿入されるシーリングバックアップ材であって、前記シーリング材３を受ける幅広の頭部１１の中心部から幅狭な胴部１２を垂下設し、前記胴部１２の略中間高さ部分から左右に腕部１３を横設し、前記各腕部１３から、前記胴部１２の下端部にわたって連結片１４を架設して、前記胴部１２と腕部１３と連結片１４とで中空シール部１５を形成してなるものである。
【０００７】
そして、前記中空シール部１５を、二つの下地材４の間に弾性変形させて進入させ、前記腕部１３の先端部を前記下地材４の内面に弾接させると共に、前記中空シール部１５を前記下地材４の角部に弾接させてなるものである。
【０００８】
請求項２の発明に係るシーリングバックアップ材は、請求項１の発明において、幅狭な胴部１２の下端部Ｑ付近から連結片下端を架設し、連結片１４を左右斜め上方に傾斜させ、略矢印状に形成してなるものである。
【０００９】
請求項３の発明に係るシーリングバックアップ材は、請求項１または２の発明において、連結片１４の左右に足部１６を横設し、足部１６を下地材の側面に弾接させてなるものである。
【００１０】
図１，図６及び図７において、請求項４の発明に係るシーリングバックアップ材は、建物Ｂの外壁５における入隅部１に形成される目地２に、シーリング材３を内側から支持するために挿入されるシーリングバックアップ材であって、前記シーリング材３を受ける幅広の頭部１１の略左右端部のそれぞれから幅狭な胴部１２を垂下設し、前記二つの胴部１２の略中間高さ部分に左右に腕部１３を横設し、前記二つの胴部１２の下端部同士を主連結部１８で架設すると共に、前記二つの胴部１２と主連結部１８とで中空シール部１５を形成してなるものである。
【００１１】
そして、前記中空シール部１５を、二つの下地材４の間に弾性変形させて進入させ、前記腕部１３の先端部を前記下地材４の内面に弾接させ、前記中空シール部１５を前記下地材４の角部に弾接させたものである。
【００１２】
請求項５の発明に係るシーリングバックアップ材は、請求項１に記載の発明において、中空シール部の中央下端部を、最下点部Ｑとして左右側を斜め上方に傾斜させ、略矢印状に形成してなるものである。
【００１３】
請求項６の発明に係るシーリングバックアップ材は、請求項４または５の発明において、左右の腕部１３，１３間に副連結部１７を架設してなるものである。
【００１４】
請求項７の発明に係るシーリングバックアップ材は、請求項４〜６のいずれかの発明において、主連結部１８の左右に連続させて足部１６，１６を横設し、該足部１６，１６を下地材の側面に弾接させてなるものである。
【発明の効果】
【００１５】
請求項１に記載のシーリングバックアップ材１０は、中空シール部１５を、二つの下地材４の間に弾性変形させて進入させ、腕部１３の先端部を下地材４の内面に弾接させると共に、中空シール部１５を下地材４の角部に弾接させるので、十分な二次止水機能を持たせることができる。すなわち、腕部１３と中空シール部１５の二つの部材でシー性を確保するので、十分な二次止水機能を発揮することができる。
【００１６】
特に、中空シール部１５は潰れた状態に弾性変形させ、しかも、その弾性復元力を下地材４の角部に作用させるので、両者の密着度は強く、従って、優れた二次止水機能を発揮する。
【００１７】
これにより、例えば、シーリング材３が経年劣化によってシール機能を失っても、このシーリングバックアップ材１０の持つ高い二次止水機能によって水漏れを確実に防止し、雨水等が建物Ｂ内に侵入するのを未然に防止することができる。
【００１８】
また、中空シール部１５を弾性変形させて二つの下地材４の間に進入させるので、あらゆる幅の目地２に対応することができ、従来のように他種類のものを準備しておく必要がない。従って、生産性にも優れる。
【００１９】
さらに、同一の目地において、その目地巾にバラツキが生じても、中空シール部１５がそれに併せて自在に弾性変形するので、二次止水機能を良好に維持することができる。
【００２０】
請求項２に記載のシーリングバックアップ材１０は、連結片１４を左右斜め上方に傾斜させ、略矢印状に形成したので、当該シーリングバックアップ材１０を二つの下地材４，４間に挿入する際の摩擦抵抗を小さく抑えることができ、円滑に挿入することができる。
【００２１】
請求項３に記載のシーリングバックアップ材１０は、腕部１３と中空シール部１５のほかに、足部１６を下地材４の側面に弾接させており、三つの部材でシール性を確保するので、二次止水機能をさらに高めることができる。
【００２２】
請求項４に記載のシーリングバックアップ材１０は、請求項１に記載の発明と同様に、優れた二次止水機能を発揮すると共に、高い生産性を発揮し、さらに、目地巾のバラツキに正確に対応することができる。
【００２３】
請求項５に記載のシーリングバックアップ材１０は、連結片１４を左右を斜め上方に傾斜させ、略矢印状に形成したので、当該シーリングバックアップ材１０を二つの下地材４，４間に挿入する際の摩擦抵抗を小さく抑えることができ、円滑に挿入することができる。
【００２４】
請求項６に記載のシーリングバックアップ材１０は、請求項４の発明において、左右の腕部１３，１３間に副連結部１７を架設したので、腕部１３の下地材４に対する弾接力を高めることが出来る。
【００２５】
請求項７に記載のシーリングバックアップ材１０は、腕部１３と中空シール部１５のほかに、足部１６を下地材４の底面に弾接させており、三つの部材でシール性を確保するので、二次止水機能をさらに高めることができる。
【発明を実施するための最良の形態】
【００２６】
本発明に係るシーリングバックアップ材１０の第一実施形態を、図１、図４および図５に示す。これは、住宅の外壁５における入隅部１に形成される目地２に、湿式のシーリング材３を内側から支持するために挿入されるシーリングバックアップ材１０である。その構成として、シーリング材３を受ける幅広の頭部１１の中心部から幅狭な胴部１２を垂下設し、胴部１２のほぼ中間高さ部分から左右方向に腕部１３を横設している。
【００２７】
また、各腕部１３のほぼ中間部分から、胴部１２の下端部にわたって連結片１４を架設して、胴部１２と腕部１３と連結片１４とで中空シール部１５を形成している。なお、本実施形態における連結片１４は、腕部１３から真下方向に延びる垂直部１４ａと、当該垂直部１４ａの下端から胴部１２の下端部に向かって斜めに傾斜した傾斜部１４ｂとで形成し、これにより十分に大きな中空部を形成し、下地材４との強い弾接力を確保している。
【００２８】
また、これにより、中空シール部１５の下端部を、その中心部を最下点部Ｐと、また連結片１４に連続して左右外側方向に足部１６を横設している。そして、腕部１３と中空シール部と足部１６の三つの部材によってシール性を確保しているので、さらに高い二次止水機能を発揮することができるといった特徴を有する。
【００２９】
本発明に係るシーリングバックアップ材１０の第二実施形態を、図１、図６および図７に示す。これも、住宅の外壁５における入隅部１に形成される目地２に、シーリング材３を内側から支持するために挿入されるものである。その構成は、シーリング材３を受ける幅広の頭部１１のほぼ左右端部のそれぞれから幅狭な胴部１２を垂下設し、二つの胴部１２のほぼ中間高さ部分に副連結部１７を左右に架設すると共に、その副連結部１７に連続して左右外側方向に腕部１３を横設している。また、二つの胴部１２の下端部同士を主連結部１８で架設すると共に、その主連結部１８に連続して左右外側方向に足部１６を横設し、二つの胴部１２と副連結部１７と主連結部１８とで中空シール部１５を形成している。
【００３０】
そして、中空シール部１５を、二つの下地材４の間に弾性変形させて侵入させ、腕部１３の先端部を下地材４の側面に弾接させ、中空シール部１５を下地材４の角部に弾接させ、さらに、足部１６を下地材４の底面に弾接させている。
【００３１】
このシーリングバックアップ材１０は、第一実施形態におけるものと同様に優れた二次止水機能と生産性を発揮する。特に、腕部１３と中空シール部１５と足部１６の三つの部材によってシール性を確保しているので、さらに高い二次止水機能を発揮することができるといった特徴を有する。
【００３２】
また、このシーリングバックアップ材１０においても、主連結部１８を、その中心部が最下点部Ｐとなるように曲折し、その左右側を斜め上方に傾斜させた略矢印状の形状としている。これにより、当該シーリングバックアップ材１０を二つの下地材４の間に挿入する際の摩擦抵抗を抑えることができ、当該部分への挿入を容易なものとしている。
【００３３】
なお、本発明におけるシーリングバックアップ材１０は、湿式のシーリング材３のみならず、乾式のシーリング材３を支持するためにも使用することができる。
【００３４】
本発明のシーリングバックアップ材は、胴部をショアＤ硬度３５度〜５３度  の硬質材で形成し、それ以外の部分をデュロＡ硬度６５度〜７０度の軟質材で形成している。これにより、目地への挿入作業性を高めると共に、良好な止水機能を確保している。シーリングバックアップ材の成形材料は特には限定されないが、熱可塑性オレフィン樹脂（ＴＰＯ）が好ましい。
【図面の簡単な説明】
【００３５】
【図１】入隅部を有する建物を示す概略斜視図である。
【図２】従来例に係るシーリングバックアップ材を示す縦断面図である。
【図３】図２に示すシーリングバックアップ材を目地に挿入した状態を示す断面図である。
【図４】本発明に係るシーリングバックアップ材の第一実施形態を示す縦断面図である。
【図５】図３に示すシーリングバックアップ材を目地に挿入した状態を示す断面図である。
【図６】本発明に係るシーリングバックアップ材の第二実施形態を示す縦断面図である。
【図７】図６に示すシーリングバックアップ材を目地に挿入した状態を示す断面図である。
【符号の説明】
【００３６】
１        入隅部
２        目地
３        シーリング材
４        下地材
５        外壁
１０      シーリングバックアップ材
１１      頭部
１２      胴部
１３      腕部
１４      連結片
１４ａ    垂直部
１４ｂ    傾斜部
１５      中空シール部
１６      足部
１７      副連結部
１８      主連結部
２０      シーリングバックアップ材
Ｂ        建物
Ｐ        最下点部
Ｑ        下端部
【図１】
2006233631.tif 000003
【図２】
2006233631.tif 000004
【図３】
2006233631.tif 000005
【図４】
2006233631.tif 000006
【図５】
2006233631.tif 000007
【図６】
2006233631.tif 000008
【図７】
2006233631.tif 000009